(57)【要約】【課題】  受信電界レベルが閾値以上の妨害波が存在する場合でも、速やかに通信に使用するチャネルを選択することができるようにする。【解決手段】  受信部２により受信された無線信号の受信電界レベルＥが基準閾値Ｓｔｈより低いが、その受信電界レベルＥが下限閾値Ｌｔｈより高い場合、同期確立待ち時間としてタイマ値Ｔ１を設定し、その無線信号の受信電界レベルＥが基準閾値Ｓｔｈより高い場合、同期確立待ち時間としてタイマ値Ｔ１より短いタイマ値Ｔ２を設定し、その設定した同期確立待ち時間を経過しても、同期検出部４からフレーム同期確立信号が出力されない場合、チャネルの切替えを指示する。【選択図】        図１
2006013698.tif 000002
【特許請求の範囲】
【請求項１】
所定のチャネルの無線信号を受信する受信手段と、上記受信手段により受信された無線信号のフレーム同期の確立処理を実施する同期確立手段と、上記受信手段により受信された無線信号の受信電界レベルが基準閾値より低いが、その受信電界レベルが下限閾値より高い場合、同期確立待ち時間として第１のタイマ値を設定し、その無線信号の受信電界レベルが基準閾値より高い場合、同期確立待ち時間として第１のタイマ値より短い第２のタイマ値を設定する待ち時間設定手段と、上記待ち時間設定手段により設定された同期確立待ち時間を経過しても、上記同期確立手段によるフレーム同期の確立が達成されない場合、上記受信手段に対してチャネルの切替えを指示するチャネル切替手段とを備えた無線装置。
【請求項２】
チャネル切替手段は、受信手段により受信された無線信号の受信電界レベルが下限閾値より低い場合、受信手段に対してチャネルの切替えを指示することを特徴とする請求項１記載の無線装置。
【発明の詳細な説明】
【技術分野】
【０００１】
この発明は、複数のチャネルの中から通信に使用するチャネルを自動的に選択するデジタル変調方式の無線装置に関するものである。
【背景技術】
【０００２】
一般的にデジタル変調方式の無線装置は、通信を開始する前に、通信を行うチャネルの無線信号のフレーム同期を確立する。
このフレーム同期で抽出されたタイミングは、音声や画像の符号復号化処理の基準タイミングとして用いられる。
【０００３】
従来の無線装置は、複数のチャネルの中から通信に使用するチャネルをサーチする場合、無線信号の受信電界レベルが閾値以上であり、かつ、無線信号のフレーム同期が確立するチャネルを選択する。
したがって、チャネルのサーチ処理では、無線信号の受信電界レベルが閾値以上であっても、一定時間を経過しても、フレーム同期が確立しない場合、通信に使用するチャネルには適さないものと判断して当該チャネルを放棄し、次のチャネルのサーチ処理を実施する（例えば、特許文献１参照）。
【０００４】
【特許文献１】特開平７−７５１５７号公報（段落番号［００１３］、図２）
【発明の開示】
【発明が解決しようとする課題】
【０００５】
従来の無線装置は以上のように構成されているので、受信電界レベルが閾値以上の妨害波（受信電界レベルは高いが、フレーム同期を確立できないチャネル）が存在する場合、フレーム同期が確立しないにも拘わらず、一定時間が経過するまで、その妨害波に対するフレーム同期の確立処理を継続することになる。そのため、通信に使用するチャネルを選択するまでに長時間を要することがあるなどの課題があった。
【０００６】
この発明は上記のような課題を解決するためになされたもので、受信電界レベルが閾値以上の妨害波が存在する場合でも、速やかに通信に使用するチャネルを選択することができる無線装置を得ることを目的とする。
【課題を解決するための手段】
【０００７】
この発明に係る無線装置は、受信手段により受信された無線信号の受信電界レベルが基準閾値より低いが、その受信電界レベルが下限閾値より高い場合、同期確立待ち時間として第１のタイマ値を設定し、その無線信号の受信電界レベルが基準閾値より高い場合、同期確立待ち時間として第１のタイマ値より短い第２のタイマ値を設定する待ち時間設定手段を設け、待ち時間設定手段により設定された同期確立待ち時間を経過しても、同期確立手段によるフレーム同期の確立が達成されない場合、受信手段に対してチャネルの切替えを指示するようにしたものである。
【発明の効果】
【０００８】
この発明によれば、受信手段により受信された無線信号の受信電界レベルが基準閾値より低いが、その受信電界レベルが下限閾値より高い場合、同期確立待ち時間として第１のタイマ値を設定し、その無線信号の受信電界レベルが基準閾値より高い場合、同期確立待ち時間として第１のタイマ値より短い第２のタイマ値を設定する待ち時間設定手段を設け、待ち時間設定手段により設定された同期確立待ち時間を経過しても、同期確立手段によるフレーム同期の確立が達成されない場合、受信手段に対してチャネルの切替えを指示するように構成したので、受信電界レベルが閾値以上の妨害波が存在する場合でも、速やかに通信に使用するチャネルを選択することができる効果がある。
【発明を実施するための最良の形態】
【０００９】
実施の形態１．
図１はこの発明の実施の形態１による無線装置を示す構成図であり、図において、受信部２はアンテナ１により受信された無線信号をベースバンド信号に変換して復号部３に出力するとともに、その無線信号の受信電界レベルＥを制御部６に出力する。なお、アンテナ１及び受信部２から受信手段が構成されている。
【００１０】
復号部３は受信部２により変換されたベースバンド信号に対する復号処理を実施し、その復号データを出力する。
同期検出部４は復号部３から出力された復号データに含まれているフレーム同期信号を検出するフレーム同期の確立処理を実施し、そのフレーム同期信号を検出するとフレーム同期タイミング信号を信号処理部５に出力するとともに、フレーム同期が確立したことを示すフレーム同期確立信号を制御部６に出力する。なお、復号部３及び同期検出部４から同期確立手段が構成されている。
信号処理部５は同期検出部４から出力されるフレーム同期タイミング信号に同期して、復号部３より出力された復号データから音声情報や映像情報などを抽出する処理等を実施する。
【００１１】
制御部６はタイマを内蔵しており、受信部２から出力された無線信号の受信電界レベルＥが基準閾値Ｓｔｈより低いが、その受信電界レベルＥが下限閾値Ｌｔｈより高い場合、同期確立待ち時間としてタイマ値Ｔ１（第１のタイマ値）を設定し、その無線信号の受信電界レベルＥが基準閾値Ｓｔｈより高い場合、同期確立待ち時間としてタイマ値Ｔ１より短いタイマ値Ｔ２（第２のタイマ値）を設定する待ち時間設定機能と、その待ち時間設定機能によって設定した同期確立待ち時間を経過しても、同期検出部４からフレーム同期確立信号が出力されない場合、受信部２に対してチャネルの切替えを指示するチャネル切替機能などを備えている。なお、制御部６は待ち時間設定手段及びチャネル切替手段を構成している。
図２はこの発明の実施の形態１による無線装置の処理内容を示すフローチャートである。
【００１２】
次に動作について説明する。
受信部２は、制御部６の指示の下、受信周波数を所定のチャネルの周波数に調整し（ステップＳＴ１）、アンテナ１により受信された無線信号をベースバンド信号に変換し、そのベースバンド信号を復号部３に出力する（ステップＳＴ２）。
また、受信部２は、アンテナ１により受信された無線信号の受信電界レベルＥを測定し、その受信電界レベルＥを制御部６に出力する（ステップＳＴ３）。
【００１３】
復号部３は、受信部２からベースバンド信号を受けると、そのベースバンド信号に対する復号処理を実施し、その復号データを信号処理部５及び同期検出部４に出力する（ステップＳＴ４）。
同期検出部４は、復号部３から復号データを受けたのち、制御部６が内蔵のタイマを起動すると（タイマの起動処理は後述する）、その復号データに含まれているフレーム同期信号を検出するフレーム同期の確立処理を開始する（ステップＳＴ９）。
なお、同期検出部４は、フレーム同期の確立処理を開始して、フレーム同期信号を検出すると、フレーム同期タイミング信号を信号処理部５に出力するとともに、フレーム同期が確立したことを示すフレーム同期確立信号を制御部６に出力する。
信号処理部５は、同期検出部４から出力されるフレーム同期タイミング信号に同期して、復号部３より出力された復号データから音声情報や映像情報などを抽出する処理等を実施する。
【００１４】
制御部６は、受信部２から無線信号の受信電界レベルＥを受けると、その受信電界レベルＥを下限閾値Ｌｔｈと比較する。
制御部６は、無線信号の受信電界レベルＥが下限閾値Ｌｔｈより低い場合（ステップＳＴ５）、通信に使用するチャネルには適さないものと判断し、チャネルの切替えを指示するチャネル切替信号を受信部２に出力する（ステップＳＴ１２）。
受信部２は、制御部６からチャネル切替信号を受けると、アンテナ１の受信周波数を他のチャネルの周波数に変更し（ステップＳＴ１）、以降、上記と同様のサーチ処理を継続する。
【００１５】
制御部６は、無線信号の受信電界レベルＥが下限閾値Ｌｔｈより高い場合、その受信電界レベルＥを基準閾値Ｓｔｈと比較する。ただし、下限閾値Ｌｔｈ＜基準閾値Ｓｔｈである。
制御部６は、無線信号の受信電界レベルＥが基準閾値Ｓｔｈより低い場合（ステップＳＴ６）、電界が弱くて、無線回線の回線品質が良くない可能性があるが、通信に使用するチャネルとして適する場合もあるので、同期確立待ち時間としてタイマ値Ｔ１を設定して、内蔵のタイマを起動する（ステップＳＴ７）。
【００１６】
一方、無線信号の受信電界レベルＥが基準閾値Ｓｔｈより高い場合（ステップＳＴ６）、無線回線の回線品質が良好であり、その無線信号が妨害波でなければ、無線回線の回線品質が良好でない場合よりも、短時間でフレーム同期の確立が図られるので、同期確立待ち時間としてタイマ値Ｔ１より短いタイマ値Ｔ２を設定して、内蔵のタイマを起動する（ステップＳＴ８）。ただし、タイマ値Ｔ２は、フレーム同期が確立するまでに必要な時間以上であることは言うまでもない。
【００１７】
制御部６は、上記のようにして、内蔵のタイマを起動したのち、そのタイマのタイマ値がタイマ値Ｔ１又はタイマ値Ｔ２に到達する前に（ステップＳＴ１１）、同期検出部４からフレーム同期確立信号を受けると（ステップＳＴ１０）、チャネルのサーチ処理を終了する。
しかし、タイマのタイマ値がタイマ値Ｔ１又はタイマ値Ｔ２に到達しても（ステップＳＴ１１）、同期検出部４からフレーム同期確立信号が出力されない場合（ステップＳＴ１０）、通信に使用するチャネルには適さないものと判断して、チャネルの切替えを指示するチャネル切替信号を受信部２に出力する（ステップＳＴ１２）。
受信部２は、制御部６からチャネル切替信号を受けると、アンテナ１の受信周波数を他のチャネルの周波数に変更し（ステップＳＴ１）、以降、上記と同様のサーチ処理を継続する。
【００１８】
以上で明らかなように、この実施の形態１によれば、受信部２により受信された無線信号の受信電界レベルＥが基準閾値Ｓｔｈより低いが、その受信電界レベルＥが下限閾値Ｌｔｈより高い場合、同期確立待ち時間としてタイマ値Ｔ１を設定し、その無線信号の受信電界レベルＥが基準閾値Ｓｔｈより高い場合、同期確立待ち時間としてタイマ値Ｔ１より短いタイマ値Ｔ２を設定し、その設定した同期確立待ち時間を経過しても、同期検出部４からフレーム同期確立信号が出力されない場合、チャネルの切替えを指示するチャネル切替信号を受信部２に出力するように構成したので、受信電界レベルＥが基準閾値Ｓｔｈ以上の妨害波が存在する場合でも、速やかに通信に使用するチャネルを選択することができる効果を奏する。
【００１９】
即ち、無線信号の受信電界レベルＥが基準閾値Ｓｔｈより高い場合、同期確立待ち時間としてタイマ値Ｔ１より短いタイマ値Ｔ２が設定されるため、その無線信号が妨害波であれば、そのチャネルを速やかに放棄して（その無線信号が通信に適するチャネルであれば、速やかにフレーム同期が確立する）、他のチャネルをサーチすることができるようになる。
具体的には、通信に適するチャネルが見つかるまでに、例えば、受信電界レベルＥが基準閾値Ｓｔｈより高い妨害波がＮチャネルだけ存在した場合、Ｎ×（Ｔ１−Ｔ２）の時間だけ、サーチ時間が短縮される。
【００２０】
また、この実施の形態１によれば、受信部２により受信された無線信号の受信電界レベルＥが下限閾値Ｌｔｈより低い場合、チャネルの切替えを指示するチャネル切替信号を受信部２に出力するように構成したので、無駄な同期確立処理を中止して、チャネルのサーチ時間を短縮することができる効果を奏する。
【００２１】
実施の形態２．
上記実施の形態１では、制御部６が２種類のタイマ値Ｔ１，Ｔ２を設定するものについて示したが、無線信号の受信電界レベルＥ等に応じて３種類以上のタイマ値を設定するようにしてもよい。この場合、上記実施の形態１よりも、更にきめ細かく制御を実施することができるため、サーチ時間の短縮化を図ることができる。
【図面の簡単な説明】
【００２２】
【図１】この発明の実施の形態１による無線装置を示す構成図である。
【図２】この発明の実施の形態１による無線装置の処理内容を示すフローチャートである。
【符号の説明】
【００２３】
１  アンテナ（受信手段）、２  受信部（受信手段）、３  復号部（同期確立手段）、４  同期検出部（同期確立手段）、５  信号処理部、６  制御部（待ち時間設定手段、チャネル切替手段）。
【図１】
2006013698.tif 000003
【図２】
2006013698.tif 000004